(57)【要約】【課題】受光センサが飽和しないような制御を行うストロボの制御技術を提供すること。【解決手段】ストロボ手段（３０２）と、予備発光による反射光を受光し、所定の積分時間における受光量の積分値を出力する受光センサを有する測光手段（１１５）と、前記ストロボ手段による予備発光及び測光手段を制御するとともに、前記測光手段の測光結果に基づいて予備発光後の本発光を制御する制御手段（１５０、３０１，３５０）とを備え、前記制御手段は、フラット発光モードにおいて、本発光時のフォーカルプレーンシャッタのシャッタスピードに応じて前記受光センサの積分時間を設定する。【選択図】      図１
2005115146.tif 000002
【特許請求の範囲】
【請求項１】
ストロボ手段と、
予備発光による反射光を受光し、所定の積分時間における受光量の積分値を出力する受光センサを有する測光手段と、
前記ストロボ手段による予備発光及び測光手段を制御するとともに、前記測光手段の測光結果に基づいて予備発光後の本発光を制御する制御手段とを備え、
前記制御手段は、フラット発光モードにおいて、本発光時のフォーカルプレーンシャッタのシャッタスピードに応じて前記受光センサの積分時間を設定することを特徴とするストロボ装置。
【請求項２】
ストロボ手段と、
予備発光による反射光を受光し、所定の積分時間における受光量の積分値を出力するセンサを有する測光手段と、
前記ストロボ手段による予備発光及び測光手段を制御するとともに、前記測光手段の結果に基づいて予備発光後の本発光を制御する制御手段とを備え、
前記制御手段は、予備発光の発光量に応じて前記センサの積分時間を設定することを特徴とするストロボ装置。
【請求項３】
請求項２記載のストロボ装置において、前記制御手段は、フラット発光モードにおいて、本発光時のフォーカルプレーンシャッタのシャッタスピードに応じて前記センサの積分時間を設定することを特徴とするストロボ装置。
【請求項４】
ストロボ手段と、予備発光による反射光を測光する測光手段を有し、前記ストロボ手段による予備発光、前記測光手段及び予備発光後のフラット発光モードの本発光を制御するストロボ装置の制御方法において、
本発光時に、予備発光の発光量を設定するとともに、予備発光の発光量に応じて前記センサの積分時間を設定することを特徴とするストロボ装置の制御方法。
【請求項５】
ストロボ装置が内蔵され、又はストロボ装置が着脱可能に装着されたカメラにおいて、
予備発光による反射光を受光し、所定の積分時間における受光量の積分値を出力する受光センサを有する測光手段と、前記ストロボ装置による予備発光及び測光手段を制御するとともに、前記測光手段の測光結果に基づいて予備発光後の本発光を制御する制御手段とを備え、
前記制御手段は、フラット発光モードにおいて、本発光時のフォーカルプレーンシャッタのシャッタスピードに応じて前記受光センサの積分時間を設定することを特徴とするカメラ。
【発明の詳細な説明】
【技術分野】
【０００１】
本発明は、カメラのストロボ装置の制御技術に関する。
【背景技術】
【０００２】
ストロボ発光撮影で、撮影時に適正光量を決定するために、本発光に先立って予備発光をする方式が知られている。この方式では、予備発光による受光量を検出して、本発光の発光量を決定する。
【０００３】
この場合において、予備発光では、受光センサによる受光光はストロボ光と背景光の合計になる。このため、受光光は、背景光（以下、「定常光」とも称する）の影響を受けてしまうので、定常光が大きいと受光センサの出力が飽和して正確な測光ができない場合が想定される。
【０００４】
そこで、受光センサの受光信号を監視し、その積算値が調光レベルに達したら予備発光を停止するようにストロボを制御するような撮影装置が開示されている（特許文献１参照）。なお、この場合において、調光レベルは、ストロボ発光によって撮像素子が飽和しないように、本発光時より低いレベルに設定されている。
【特許文献１】特開平１０−１７０９９３号公報
【発明の開示】
【発明が解決しようとする課題】
【０００５】
本発明は、受光センサが飽和しないような制御を行うストロボの制御技術を提供することを目的とする。
【課題を解決するための手段】
【０００６】
本発明の局面に係るストロボ装置は、ストロボ手段と、予備発光による反射光を受光し、所定の積分時間における受光量の積分値を出力する受光センサを有する測光手段と、前記ストロボ手段による予備発光及び測光手段を制御するとともに、前記測光手段の測光結果に基づいて予備発光後の本発光を制御する制御手段とを備え、前記制御手段は、フラット発光モードにおいて、本発光時のフォーカルプレーンシャッタのシャッタスピードに応じて前記受光センサの積分時間を設定することを特徴とする。なお、シャッタスピードではなく設定された予備発光の発光量に基づいて受光センサの積分時間を設定するようにしても良い。なお、本発明は、ストロボ装置のみならず、このようなストロボ装置を制御する制御方法の発明や、本発明に係るストロボ装置を備えたカメラ、或いはカメラシステム、また、上記の装置の機能を達成するようなプログラムとしても成立しうる。
【発明の効果】
【０００７】
本発明によれば、受光センサが飽和しないような制御を行うことができる。
【発明を実施するための最良の形態】
【０００８】
図面を参照して本発明の実施の形態を説明する。
【０００９】
図１は、本発明の一実施形態に係るストロボ装置を備えたカメラシステムの概略構成を示す図である。
【００１０】
このカメラシステムは、それぞれが別体に構成されるカメラ本体部１、レンズ鏡筒２および外部ストロボ装置３からなり、カメラ本体部１とレンズ鏡筒２および外部ストロボ装置３とは、互いに着脱自在に構成されている。
【００１１】
このカメラ本体部１、レンズ鏡筒２および外部ストロボ装置３の制御は、ボディ制御用マイクロコンピュータ（以下、Ｂｕｃｏｍと称する）１５０、レンズ制御用マイクロコンピュータ（以下、Ｌｕｃｏｍと称する）２５０およびフラッシュ制御用マイクロコンピュータ（以下、Ｆｕｃｏｍと称する）３５０が各々実行する。また、Ｂｕｃｏｍ１５０とＬｕｃｏｍ２５０およびＦｕｃｏｍ３５０とは、合体時において通信コネクタ２５１，３５１を介して通信可能に電気的接続がなされる。そして、この場合、１つのカメラシステムとして、Ｌｕｃｏｍ２５０およびＦｕｂｏｍ３５０がＢｕｃｏｍ１５０に従属的に協働しながら稼動するようになっている。
【００１２】
レンズ鏡筒２は、複数のレンズやその駆動機構等からなる撮影光学系２０１を内部に保持して構成されている。この撮影光学系２０１は、レンズ駆動機構２０２内に在る図示しないＤＣモータにより駆動され、被写体からの光束を透過させることによって、当該被写光束により形成される被写体の像を所定の位置（後述する撮像素子の光電変換面上）に結像せしめるように、例えば複数の光学レンズ等によって構成されるものである。このレンズ鏡筒２は、カメラ本体部１の前面に向けて突出するように配設される。また、このレンズ鏡筒２内には、絞り駆動機構２０３内に在る図示しないステッピングモータによって駆動される絞り２０４が設けられている。そして、Ｌｕｃｏｍ２５０は、Ｂｕｃｏｍ１５０からの指令に従って、これらの各モータを制御する。
【００１３】
カメラ本体部１は、各部に各種の構成部材等を備えて構成され、かつ、撮影光学系２０１を保持するレンズ鏡筒２を着脱自在となるように配設するための連結部材である撮影光学系装着部をその前面に備えて構成されてなる、いわゆる一眼レフレックス方式のカメラである。また、このカメラ本体部１は、最大ガイドナンバーが異なる複数の外部ストロボ装置３を必要に応じて排他選択的に装着できるように構成されている。
【００１４】
このカメラ本体部１の内部には、各種の構成部材、例えば、いわゆる観察光学系を構成するファインダ装置１０１と、撮像素子の光電変換面への被写体光束の照射時間等を制御するシャッタ機構等を備えたシャッタ部１０２と、被写体像に対応した画像信号を得るための撮像ユニット１０３とが、それぞれ所定の位置に配設されている。
【００１５】
ファインダ装置１０１は、撮影光学系２０１を透過した被写体光束の光軸を折り曲げて観察光学系の側へと導き得るように構成される反射鏡１０１ａと、この反射鏡１０１ａから出射する光束を受けて正立正像を形成するペンタプリズム１０１ｂと、このペンタプリズム１０１ｂにより形成される像を拡大して観察するのに最適な形態の像を結像させる接眼レンズ１０１ｃ等によって構成されている。
【００１６】
反射鏡１０１ａは、撮影光学系２０１の光軸から退避する位置と当該光軸上の所定の位置との間で移動自在に構成され、通常状態においては、撮影光学系２０１の光軸上において当該光軸に対して所定の角度、例えば、角度４５度を有して配置されている。
【００１７】
これにより、撮影光学系２０１を透過した被写体光束は、当該カメラシステムが通常状態（ミラーダウン）にあるときには、反射鏡１０１ａによりその光軸が折り曲げられ、当該反射鏡１０１ａの上方に配置されるペンタプリズム１０１ｂの側へと反射されるようになっている。一方、カメラシステムが撮影動作の実行中においては、当該反射鏡１０１ａは撮影光学系２０１の光軸から退避する所定の位置（ミラーアップ）に移動するようになっており、これによって、被写体光束は、撮像ユニット１０３側へと導かれる。
【００１８】
シャッタ部１０２は、例えば、フォーカルプレーン方式のシャッタ機構やその駆動回路等、従来のカメラ等において一般的に利用されているものと同様のものが適用される。
【００１９】
撮像ユニット１０３には、撮影光学系２０１を通過した被写体像を光電変換するための撮像素子１０４が光電変換素子として設けられている。この撮像素子１０４は、該撮像素子１０４とシャッタ部１０２の間に配設された光学素子としての透明なガラス部材でなる防塵フィルタ１０５によって保護されている。そして、この防塵フィルタ１０５を所定の周波数で振動させる加振手段の一部として、例えば圧電素子１０６がその防塵フィルタ１０５の周縁部に取り付けられている。この圧電素子１０６は２つの電極を有しており、この圧電素子１０６が加振手段の一部としての防塵フィルタ駆動回路１０７によって防塵フィルタ１０５を振動させ、そのガラス表面に付着していた塵を除去できるように構成されている。
【００２０】
また、このカメラ本体部１内には、サブミラー１０８と、このサブミラー１０８からの反射光束を受けて自動測距するためのＡＦセンサユニット１０９と、ＡＦセンサユニット１０９を駆動制御するＡＦセンサ駆動回路１１０と、反射鏡１０１ａを駆動制御するミラー駆動機構１１１と、シャッタ部１０２の先幕と後幕を駆動するためのばね力をチャージするシャッタチャージ機構１１２と、この先幕と後幕の動きを制御するシャッタ制御回路１１３と、ペンタプリズム１０１ｂからの光束に基づき測光する測光回路１１４と、プリ発光時のストロボ発光量をシャッタ部１０２からの反射光で測光し、本発光時のストロボ発光量を決定するための（受光センサを含む）調光回路１１５とが設けられている。
【００２１】
さらに、このカメラ本体部１内には、液晶モニタ１１６と、記憶領域として設けられたＳＤＲＡＭ１１７と、ＦｌａｓｈＲＯＭ１１８および記録メディア１１９などを利用して画像処理する画像処理コントローラ１２０とが設けられ、電子撮像機能と共に電子記録表示機能を提供できるように構成されている。その他の記憶領域としては、カメラ制御に必要な所定の制御パラメータを記録する不揮発性記憶手段として、例えばＥＥＰＲＯＭからなる不揮発性メモリ１２１が、Ｂｕｃｏｍ１５０からアクセス可能に設けられている。
【００２２】
また、Ｂｕｃｏｍ１５０には、当該カメラの動作状態を表示出力によってユーザへ告知するための動作表示用ＬＣＤ１５１と、カメラ操作スイッチ（ＳＷ）１５２とが接続されている。カメラ操作ＳＷ１５２は、例えばレリーズＳＷ、モード変更ＳＷおよびパワーＳＷなどの当該カメラを操作するために必要な操作釦を含むスイッチ群である。
【００２３】
そして、電源としての電池１５３と、この電源の電圧を当該カメラシステムを構成する各回路ユニットが必要とする電圧に変換して供給する電源回路１５４とが、このカメラ本体部１内には設けられている。
【００２４】
外部ストロボ装置３は、暗い被写体を撮影するための光源であり、発光制御回路３０１によって発光部３０２の発光量が制御される。この外部ストロボ装置３には、充電制御回路３０３の制御によって所定量の電荷を蓄積可能なストロボコンデンサ３０４が設けられており、発光制御回路３０１は、このストロボコンデンサ３０４を充放電させて発光部３０２を駆動する。また、充電制御回路３０３は、ストロボコンデンサ３０４の蓄積電荷量を検出する電圧検出部を有している。Ｆｕｃｏｍ３５０は、各々に固有の最大ガイドナンバーおよび最小ガイドナンバーを記憶しており、この記憶した各ガイドナンバーをＢｕｃｏｍ１５０に通知すると共に、Ｂｕｃｏｍ１５０からの指令に従って、発光制御回路３０１および充電制御回路３０３を制御する。
【００２５】
図２は、予備発光の発光状態と定常光による飽和状況を説明するための図である。  
図２（ａ）に示すように、フラッシュの発光強度は、発光を開始した後に急激に立ち上がり所定の時間（例えば１ミリ秒）で最大値になり、その後徐々に減少する。このとき、調光回路１１５内の受光センサ（以下、「センサ」と称する）によって受光した光量は、図２(ｂ)に示すように、所定時間（例えば１ミリ秒）積算（積分）されて、その積分値が受光センサから出力される。  
この場合において、例えば、定常光が明るい場合と暗い場合を考慮すると、定常光単独での受光センサの出力は、定常光が明るい場合には、図２（ｃ）の輝度Ｂに示すような出力を示し、定常光が暗い場合には、図２（ｃ）の輝度Ａに示すような出力を示す。ここで、定常光がない（すなわち、フラッシュ発光量のみの）ような場合には、図２（ｄ）に示すような積分曲線となるが、図２（ｃ）に示す定常光による光量が図２（ｄ）に示すフラッシュ発光量に加わる場合には、図２（ｅ）のそれぞれ輝度Ａ及び輝度Ｂに示すような曲線となり、輝度Ｂに示すような場合には、積分値がセンサ出力最大値を越えることとなり、そのため受光センサが飽和してしまう。
【００２６】
輝度Ｂにおける積分値がセンサ出力の最大値を越える理由は以下の通りである。輝度Ｂの場合のように、定常光の光量が多い場合には、露光オーバーにならないように、シャッタスピードを速くするような制御が行われる。このように、定常光が大きくなるにつれてシャッタスピードは速くなるので、露光量はシャッタスピードによって調整することができる（他にも絞りの調整などによって露光量は調整できるが、ここではシャッタスピードのみを考える）。しかし、受光センサに対しては撮像素子のような受光量の調整は行われないために、図２（ｅ）に示すような受光量の積分値がセンサ出力の最大値を越えるという問題が生じることがある。そして、この問題は、日中シンクロや室内ストロボ撮影のような、周囲が明るい環境下で発生しやすい。
【００２７】
そして、このような環境下では、シャッタスピードが高速になり、シャッタスピードが速くなると、図３に示すように、シャッタがすべて開状態でなく、先幕と後幕とで構成されるスリットの部分のみを光が通過して、このスリットが移動しながら撮像素子の表面を走査しながら露光するような制御が行われる。従って、このような場合には、すべての撮像素子の表面に対して同じ条件で光量が到達するようにするために、フラット発光（モード）と呼ばれる制御が行われる。このフラット発光は、シャッタが駆動している間はフラッシュ発光量を均等（時間的に一定）に制御する発光方法である。前述したように、センサ出力が飽和してしまうような定常光下では、シャッタスピードもあわせて高速化するので、本発明の一実施形態においては、特にこのような高速シャッタ制御が行われる場合を対象とする。
【００２８】
ここで、通常の発光モードである閃光発光時とフラット発光時のガイドナンバー（以下、「Ｇｖ」と称する）を比較すると、図４に示すように、最大ガイドナンバー（以下、「最大Ｇｖ」と称する）は、閃光発光時が最も大きく、フラット発光時においてはシャッタスピードが速くなればなるほど小さくなる。シャッタスピードが速くなると、前記スリットの幅が狭くなるので、ストロボの発光量は一定であっても、撮像素子上の画素の受ける光量は相対的に減少していくからである。また、最小ガイドナンバー（以下、「最小Ｇｖ」と称する）は、フラット発光時においてはシャッタスピードが速くなればなるほど小さくなる。この場合において、フラット発光時における予備発光の回数と予備発光のガイドナンバーは次の式で求められる。  
予備発光回数＝（最大Ｇｖ−最小Ｇｖ＋ＡＵＴＯＩＳＯ感度アップ量＋係数）  
／センサダイナミックレンジ  
予備発光Ｇｖ＝最小Ｇｖ＋log2{(撮像素子出力×センサ感度)  
/(撮像素子感度×最至近センサ出力狙い値) }  
なお、上記の式において、係数は個体間のばらつきを調整するための係数であって、１．０が好ましい。また、ＡＵＴＯＩＳＯ感度アップ量は、例えば、ＩＳＯ１００からＩＳＯ４００にアップされた場合には、２．０となる。
【００２９】
更に、フラット発光の場合において、予備発光の発光量が少なくてすむ理由を図５を参照して説明する。図５は、本発光がフラットモード発光時に、その設定されるシャッタースピードに応じて設定された予備発光時（閃光発光）において、被写体距離とその反射光の測光値の関係を示す図である。センサ出力が、０〜１００％で規定されている場合において、通常検知に利用される範囲（ダイナミックレンジ）は、センサ出力の線形性を考慮して、１０％から８０％程度であるが、ばらつきなどに対する余裕を考慮して、約６０％が最至近センサ出力の狙い値（すなわち上限）としている。この場合において、シャッタスピードが１／１０００、１／２０００及び１／４０００の場合における被写体の距離とセンサ出力との関係をみると、シャッタスピードが速いほど最小及び最大ガイドナンバーがともに小さくなり、撮影可能範囲も小さくなる。従って、シャッタスピードが速いほど予備発光の発光量も少なくてすむことになる。
【００３０】
そこで、本発明の一実施形態においては、予備発光時にセンサによる受光量の積分時間（本明細書においては、単に「積分時間」と称する）をシャッタスピードに応じて決定している。換言すれば、例えば、図６に示すように、シャッタスピードが１／１０００の場合に、予備発光を開始してから０．８ミリ秒で発光を停止するような発光量の場合（この発光開始から発光停止までの時間を、便宜上「発光時間」と称する）には、例えば、積分時間を（０．８＋０．２）＝１ミリ秒とする。ここで、０．２ミリ秒は余裕値である。この場合において、シャッタスピードが速くなるにつれて予備発光時間を短くし、例えば、１／２０００のシャッタスピードの場合には、発光時間を０．５ミリ秒とし、１／４０００のシャッタスピードの場合には、発光時間を０．３ミリ秒として、それに伴い積分時間をそれぞれ、Ｏ。７ミリ秒及び０．５ミリ秒とすることで、強い定常光の入射に対して、センサの積分値の飽和を防止することができる。  
上記のような本発明の一実施形態で、Ｂｕｃｏｍ１５０で制御される動作制御方法を図８及び図９のフローチャートを参照して説明する。  
まず、測光素子による測光結果により露出条件を設定する（ステップＡ１）。この場合に、露出条件として、例えば、シャッタスピード、絞り値及びＩＳＯ感度などが設定される。ここで、シャッタスピードからフラッシュの発光モードがフラット発光モードかどうかを判定する（ステップＡ２）。ここで、発光モードがフラット発光モードでなければ、積分時間を所定の時間（閃光発光モードにあわせて、デフォルトで定められた時間：例えば１ミリ秒）として、処理を終了する。ステップＡ２において、発光モードがフラット発光モードであれば、詳細は後述する図９のフローチャートに基づく動作によって予備発光時のセンサの積分時間を演算により求める（ステップＡ３）。
【００３１】
次に、図９を参照して、予備発光時のセンサの積分時間を演算により求める動作の詳細を説明する。図８のステップＡ１で設定された露光条件に基づいて予備発光ガイドナンバーを演算するとともに（ステップＢ１）、発光時における充電電圧の検出を行う（ステップＢ２）。次に、予備発光ガイドナンバーと充電電圧に基づいて図７に示すテーブルに基づいて発光時間を決定する（ステップＢ３）。なお、ステップＢ３において、各電圧の間は線形補間を行い、充電電圧が２８０Ｖより小さい場合には線形にて外挿する。そして。シャッタスピードを含む露光条件に応じて設定されたストロボの発光時間（すなわち予備発光量）からセンサの積分時間を演算する（ステップＢ４）。なお、センサ積分時間は、上記の説明では、発光時間に所定の余裕時間（例えば、０．２ミリ秒）を設けることとして説明したが、発光時間に所定の係数を乗算（例えば１．２倍）した値を積分時間としても良い。
【００３２】
図１０は、予備発光センサの積分時間演算に係る他の動作を示すフローチャートである。  
この場合において、図９の場合と同様に、予備発光の発光量を設定するための予備発光ガイドナンバーを演算する（ステップＣ１）。本動作においては、簡易的に積分時間を求めるために、予備発光ガイドナンバーではなく、例えば、以下の式、  
積分時間＝定数×シャッタスピード  
を用いて積分時間を設定している（ステップＣ２）。なお、積分時間は、上記の式でなく、詳細は後述する図７に示すような発光前の各電圧におけるフラッシュ発光量と発光時間の関係を示すテーブルを用いて設定しても良い。
【００３３】
上記のように、高速シャッタスピード時の予備発光時には、センサの積分時間が短く設定されている。また、高速シャッタスピード時の予備発光時には、予備発光量が小さくなるに応じて前記積分時間が短く設定される。このような制御を行うことにより、受光センサの飽和を防止することができる。
【００３４】
本発明は、上記各実施の形態に限ることなく、その他、実施段階ではその要旨を逸脱しない範囲で種々の変形を実施し得ることが可能である。  
例えば、上記の実施形態では、外部ストロボ装置とカメラ本体部からなるシステムに適用した実施形態を示したが、ストロボを内蔵したカメラに対しても当然適用可能である。また、カメラとして、例えば、携帯電話やＰＤＡ等に搭載するカメラ装置にも適用可能である。  
なお、上記の実施形態においては、調光回路１１５はカメラ本体部１に備えるようにしたが、外部ストロボ装置３に備えるようにしても良い。  
さらに、上記各実施形態には、種々の段階の発明が含まれており、開示される複数の構成要件における適宜な組合せにより種々の発明が抽出され得る。
【００３５】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３６】
【図１】本発明の一実施形態に係るストロボ装置を備えたカメラシステムの概略構成を示す図。
【図２】予備発光の発光状態と定常光による飽和状況を説明するための図。
【図３】フォーカルプレーンシャッタの高速シャッタ時の動作を示す図。
【図４】閃光発光時のガイドナンバーとフラット発光時の各シャッタスピードにおけるガイドナンバーを示す図。
【図５】フラット発光の場合において、予備発光の発光量が少なくてすむ理由を説明するための図。
【図６】シャッタスピードに応じた発光時間と、発光時間に対応して設定された積分時間の関係を示す図。
【図７】発光前の各電圧におけるフラッシュ発光量と発光時間の関係を示すテーブル。
【図８】本発明の一実施形態にかかる動作を示すフローチャート。
【図９】本発明の一実施形態にかかる動作を示すフローチャート。
【図１０】予備発光センサの積分時間演算に係る他の動作を示すフローチャート。
【符号の説明】
【００３７】
１…カメラ本体部、２…レンズ鏡筒、３…外部ストロボ装置、４５…角度、１０１…ファインダ装置、１０１ａ…反射鏡、１０１ｂ…ペンタプリズム、１０１ｃ…接眼レンズ、１０２…シャッタ部、１０３…撮像ユニット、１０４…撮像素子、１０５…防塵フィルタ、１０６…圧電素子、１０７…防塵フィルタ駆動回路、１０８…サブミラー、１０９…ＡＦセンサユニット、１１０…ＡＦセンサ駆動回路、１１１…ミラー駆動機構、１１２…シャッタチャージ機構、１１３…シャッタ制御回路、１１４…測光回路、１１５…調光回路、１１６…液晶モニタ、１１７…ＳＤＲＡＭ、１１８…ＲＯＭ、１１９…記録メディア、１２０…画像処理コントローラ、１２１…不揮発性メモリ、１５０…ボディ制御用マイクロコンピュータ、１５１…動作表示用ＬＣＤ、１５２…カメラ操作スイッチ、１５３…電池、１５４…電源回路、２０１…撮影光学系、２０２…レンズ駆動機構、２０３…絞り駆動機構、２５０…レンズ制御用マイクロコンピュータ、２５１．３５１…通信コネクタ、３０１…発光制御回路、３０２…発光部、３０３…充電制御回路、３０４…ストロボコンデンサ、３５０…フラッシュ制御用マイクロコンピュータ。
【図１】
2005115146.tif 000003
【図２】
2005115146.tif 000004
【図３】
2005115146.tif 000005
【図４】
2005115146.tif 000006
【図５】
2005115146.tif 000007
【図６】
2005115146.tif 000008
【図７】
2005115146.tif 000009
【図８】
2005115146.tif 000010
【図９】
2005115146.tif 000011
【図１０】
2005115146.tif 000012